(57)【要約】【課題】透明扉のハンドルに施錠装置を内蔵させた場合にも、本体の略全幅まで透明扉の幅を拡張することができるショーケースを提供する。【解決手段】低温ショーケース１は、陳列室４を備えた本体１１の開口を開閉自在に閉塞するよう一側が本体に回動自在に枢支された透明扉２と、この透明扉の非枢支側外面に設けられたハンドル３と、このハンドル内に設けられた施錠装置１７とを備えたものであって、施錠装置は、鍵孔１９と、この鍵孔に差し込まれた鍵の回動操作によって当該鍵と同心的に回動する回動軸２１と、この回動軸に取り付けられて本体に係脱可能に係合するフック２２とを有し、鍵孔を、透明扉枢支側のハンドル側面に配置した。【選択図】図４
2008022986.tif 000002
【特許請求の範囲】
【請求項１】
陳列室を備えた本体の開口を開閉自在に閉塞するよう一側が前記本体に回動自在に枢支された透明扉と、該透明扉の非枢支側外面に設けられたハンドルと、該ハンドル内に設けられた施錠装置とを備えたショーケースにおいて、
前記施錠装置は、鍵孔と、該鍵孔に差し込まれた鍵の回動操作によって当該鍵と同心的に回動する回動軸と、該回動軸に取り付けられて前記本体に係脱可能に係合するフックとを有し、
前記鍵孔を、前記透明扉枢支側の前記ハンドル側面に配置したことを特徴とするショーケース。
【請求項２】
前記透明扉は、透明壁と該透明壁を保持するサッシュとから構成され、前記ハンドルは前記サッシュの非枢支側の辺の外面に設けられていることを特徴とする請求項１に記載のショーケース。
【請求項３】
前記透明扉は上下反転して取付可能とされていると共に、前記施錠装置は、前記回動軸への前記フックの取付角度を調整することにより、前記回動軸の回動遊びを吸収する構造を備えることを特徴とする請求項１又は請求項２に記載のショーケース。
【請求項４】
前記ハンドルには、手掛け部と前記施錠装置を上下に配置したことを特徴とする請求項１乃至請求項３の何れかに記載のショーケース。
【発明の詳細な説明】
【技術分野】
【０００１】
本発明は、透明扉の施錠装置を備えたショーケースに関するものである。
【背景技術】
【０００２】
従来よりこの種ショーケースでは、陳列室内に飲料や食品等の商品を収納し、例えば陳列室内には冷気を循環させて低温とすることにより、商品を冷却しながら陳列している。この陳列室の開口は回動自在の透明ガラス扉により開閉自在に閉塞されており、閉店時にはこの扉に施錠して商品の盗難を防止していた（例えば、特許文献１、特許文献２参照）。
【特許文献１】特開平３−１２１０１６号公報
【特許文献２】特開２００５−１５２５２８号公報
【発明の開示】
【発明が解決しようとする課題】
【０００３】
しかしながら、従来のこの種ショーケースの施錠装置は、扉とは別部品の錠前を使用していたため、扉はどうしても少許開いてしまうと共に、錠前がぶら下がるかたちとなるため、施錠能力に限界があった。また、使用しないときには錠前自体を無くしてしまう危険性もある。
【０００４】
そこで、所謂シリンダ錠を扉の非枢支側にあるハンドルに内蔵させ、鍵孔に差し込んだ鍵の回動操作によってこのシリンダ錠のフックをショーケース本体に係合させて施錠する構造のものも開発されているが、従来ではシリンダ錠の鍵孔が扉の前方に向けて取り付けられていたため、フックは前後方向に延在するシリンダ錠の回動軸で回動されるかたちとなっていた。即ち、フックは本体に対して横方向から（開口の内側から外側に向けて）係合する構造であったため、本体の幅より扉を拡張できない関係上、扉の幅は本体の幅よりも狭くならざるを得ず、扉のガラスを通した視認性にも限界が生じていた。
【０００５】
本発明は、係る従来の技術的課題を解決するために成されたものであり、透明扉のハンドルに施錠装置を内蔵させた場合にも、本体の略全幅まで透明扉の幅を拡張することができるショーケースを提供することを目的とするものである。
【課題を解決するための手段】
【０００６】
本発明のショーケースは、陳列室を備えた本体の開口を開閉自在に閉塞するよう一側が本体に回動自在に枢支された透明扉と、この透明扉の非枢支側外面に設けられたハンドルと、このハンドル内に設けられた施錠装置とを備えたものであって、施錠装置は、鍵孔と、この鍵孔に差し込まれた鍵の回動操作によって当該鍵と同心的に回動する回動軸と、この回動軸に取り付けられて本体に係脱可能に係合するフックとを有し、鍵孔を、透明扉枢支側のハンドル側面に配置したことを特徴とする。
【０００７】
請求項２の発明のショーケースは、上記において透明扉は、透明壁とこの透明壁を保持するサッシュとから構成され、ハンドルはサッシュの非枢支側の辺の外面に設けられていることを特徴とする。
【０００８】
請求項３の発明のショーケースは、上記各発明において透明扉は上下反転して取付可能とされていると共に、施錠装置は、回動軸へのフックの取付角度を調整することにより、回動軸の回動遊びを吸収する構造を備えることを特徴とする。
【０００９】
請求項４の発明のショーケースは、上記各発明においてハンドルには、手掛け部と施錠装置を上下に配置したことを特徴とする。
【発明の効果】
【００１０】
本発明によれば、陳列室を備えた本体の開口を開閉自在に閉塞するよう一側が本体に回動自在に枢支された透明扉と、この透明扉の非枢支側外面に設けられたハンドルと、このハンドル内に設けられた施錠装置とを備えたショーケースにおいて、施錠装置は、鍵孔と、この鍵孔に差し込まれた鍵の回動操作によって当該鍵と同心的に回動する回動軸と、この回動軸に取り付けられて本体に係脱可能に係合するフックとを有し、鍵孔を、透明扉枢支側のハンドル側面に配置したので、鍵孔に鍵を差し込んで回動軸を回動させる動作により、フックは本体の開口端面に係合可能となる。
【００１１】
即ち、透明扉を本体の略全幅まで拡張し、フックを本体の開口端面に係合させることができるようになるので、請求項２の如くサッシュと透明壁を備えた場合には、特に透明壁からの陳列室内の視認性を大幅に改善することができるようになる。また、透明扉の枢支側から鍵孔に鍵を差し込むことになるので、透明扉の非枢支側の本体側面が壁面に密着して設置された場合にも、支障なく施錠装置の施錠／解錠を行うことができる。
【００１２】
また、請求項３の発明によれば、上記各発明に加えて施錠装置は、回動軸へのフックの取付角度を調整することにより、回動軸の回動遊びを吸収する構造を備えているので、透明扉を上下反転して取付可能とした場合にも、回動軸の回動遊びによって反転使用時のフックと本体との係合状態が不良となる不都合も解消することができるものである。
【００１３】
更に、請求項４の発明によれば、上記各発明においてハンドルには、手掛け部と施錠装置を上下に配置したので、ハンドルの手掛け部に手指を掛けて透明扉を開閉する際に、施錠装置が開閉作業の妨げとなることが無い。
【発明を実施するための最良の形態】
【００１４】
以下、図面に基づき本発明の実施形態を詳述する。
【実施例１】
【００１５】
図１は本発明を適用したショーケースの実施例としての低温ショーケース１の斜視図、図２は低温ショーケース１の透明扉２を開いた状態の斜視図、図３は図２の拡大図、図４は低温ショーケース１の透明扉２のハンドル３部分の平断面図、図５は低温ショーケース１の透明扉２のハンドル３部分の縦断側面図、図６は低温ショーケース１の透明扉２のハンドル３を透明扉２枢支側から見た拡大斜視図、図７は低温ショーケース１の透明扉２のハンドル３を透明扉２非枢支側から見た拡大斜視図である。
【００１６】
実施例の低温ショーケース１は、陳列室４の周囲四面が透明二重ガラスから構成された透明壁６・・・にて囲繞された所謂卓上型のショーケースであり、断熱壁７と、この断熱壁７の四隅に立設された支柱８・・・と、天板９と、これら断熱壁７、支柱８及び天板９によって保持された左右面の透明壁６、６等から本体１１が構成されている。左右面の透明壁６、６内側の断熱壁６上にはこれも硬質合成樹脂から成る底板１２が取り付けられ、これら底板１２と天板９及び左右の透明壁６、６間の本体１１内に陳列室４が構成されている。
【００１７】
係る構成により、本体１１の陳列室４部分は前面と後面が開口する。そして、この前後の開口は二枚の透明扉２、２によって開閉自在に閉塞される。尚、前後の透明扉２、２は同一のものを使用している。前後の透明扉２、２はそれぞれ向かって右側の上下を本体１１の天板９と断熱壁７に回動自在に枢支されて取り付けられている。また、透明扉２は周囲の硬質合成樹脂製のサッシュ１４と、このサッシュ１４の内側に保持された透明二重ガラス製の前記透明壁６とから構成されており、非枢支側の外面（前面）一側、即ち、サッシュ１４の向かって左側の辺（透明扉２の非枢支側の辺）の外面（前面）の上下方向の略中央部にはハンドル３が取り付けられている。Ｇはサッシュ１４の内面周囲に取り付けられたマグネットガスケットであり、透明扉２を閉じたときに、支柱８内に設けられた当該支柱８を構成する鋼板製のアングル８Ａに吸着する。
【００１８】
また、断熱壁７の下側には陳列室４の下方に位置して機械室１３が構成されており、この機械室１３内には冷却ユニットの冷媒回路を構成する図示しない圧縮機、凝縮器と、これらを空冷するための凝縮器用ファンが設置されている。一方、断熱壁７内には図示しない冷却室が構成されており、この冷却室内には前記圧縮機等と共に冷却ユニットの冷媒回路を構成するこれも図示しない蒸発器と、冷却用ファンが収納されている。底板１２には、陳列室４内の底部に位置して図示しない冷気吸込口と冷気吐出口が形成され、断熱壁７内の冷却室に連通している。尚、１６は陳列室４内に架設された商品陳列用の網棚である。
【００１９】
前記圧縮機が運転されると、蒸発器が冷却作用を発揮する。蒸発器と熱交換して冷却された冷却室内の冷気は、前記冷却用ファンにより吸引されて冷気吐出口から上方の陳列室４内に吐出される。陳列室４内に吐出された冷気は上昇し、陳列室４内部を循環して棚１６上等の商品を冷却した後、降下して冷気吸込口から冷却室内に帰還する。これにより、陳列室４内は所定の温度（通常は＋５℃〜＋１０℃の冷蔵温度）に冷却されることになる。
【００２０】
次に、透明扉２とハンドル３について詳細に説明する。尚、実施例の透明扉２は同一のものを上下反転して使用することにより、実施例のように向かって右側を枢支する場合と、左側を枢支する場合とを選択できるように構成されている。
【００２１】
ハンドル３は図６、図７に示すように、手指を掛けて操作可能な所定の上下寸法、幅寸法及び奥行き寸法を有しており、内部に施錠装置１７が取り付けられている。ハンドル３の透明扉２の外面（前面）内方に指向した側面、即ち、透明扉２の枢支側に面したハンドル３の側面上部に手掛け部１８が上下方向に凹陥形成されている。また、当該手掛け部１８の下方の同側面（透明扉２の枢支側に面したハンドル３の側面下部）には、施錠装置１７の鍵孔１９が露出して配置されている。
【００２２】
即ち、図６、図７の場合には、手掛け部１８と施錠装置１７はハンドル３内の上下に位置して別々に設けられている。透明扉２を開閉する際には手掛け部１８に手指を掛けて作業するものであるが、施錠装置１７はその下方に位置しているので、開閉作業の際の妨げとならない。これは透明扉２を上下反転させて使用する場合にも同様であり、その場合には施錠装置１７が上に手掛け部１８がその下方となる。
【００２３】
即ち、ハンドル３は透明扉２の非枢支側（実施例の向かって左側）に位置しており、鍵孔１９は図１、図４、図６に示すように、透明扉２の外面側（前面側）の空間に向け、且つ、透明扉２の枢支側（実施例の向かって右側）に指向して露出している。
【００２４】
この施錠装置１７は、図４、図５に示すように、回動軸２１を備えており、この回動軸２１の一端面に前記鍵孔１９が設けられている。即ち、回動軸２１は透明扉２の枢支側から非枢支側に向かう線と平行に且つ水平に設けられ、鍵孔１９に差し込まれた鍵（図示せず）の回動操作によって当該鍵と回動軸２１は同心的に回動する。
【００２５】
この回動軸２１の他端部にはフック２２が取り付けられている。この場合、フック２２の基部には嵌合孔２６が形成され、この嵌合孔２６が回動軸２１に嵌合して取り付けられる。このフック２２は回動軸２１に直交する向きに取り付けられ、透明扉２が閉じた状態で、ハンドル３から支柱８方向に向かうようにガスケットＧの外側のサッシュ１４内面に形成された透孔２３から本体１１側に突出している。また、フック２２の先端部には鉤部２２Ａが形成されている。尚、実施例のように透明扉２の向かって右側を枢支する場合にはこの鉤部２２Ａが下向きになる（図５）。
【００２６】
一方、透明扉２のサッシュ１４の幅は、図１や図４に示すように本体１１の全幅と略同等まで拡張されている。従って、透明扉２が閉じた状態では、ガスケットＧは本体１１の開口端面を構成する支柱８の前面（後面開口の支柱８の場合には後面）に位置するアングル８Ａに吸着する。これにより、透明扉２の透明壁６の幅は左右の透明壁６、６の間隔、即ち、陳列室４の幅に相当する寸法まで拡張されるので、陳列室４内はその略全域が真正面からでも透明扉２の透明壁６から視認することが可能となる。
【００２７】
また、本体１１の開口端面を構成する左右の支柱８、８の前面に位置するアングル８Ａにはスリット状の係合孔２４、２４がそれぞれ形成されている。各係合孔２４は前記ガスケットＧが吸着する位置の外側に形成されており、向かって左側の係合孔２４は透明扉２の施錠装置１７の位置に対応する高さに設定されている。ここで、向かって右側の係合孔２４は透明扉２を上下反転して取り付けた場合、即ち、実施例のように向かって右側を枢支するのでは無く、向かって左側を枢支する場合に施錠装置１７のフック２２が係合する位置とされている。前述した如く施錠装置１７はハンドル３の下部に位置しているので、透明扉２を上下反転して取り付けた場合には、施錠装置１７は手掛け部１８の上に来る。従って、施錠装置１７の位置は高くなるので、向かって右側の係合孔２４は向かって左側の係合孔２４よりも高い位置とされている（図２、図３）。
【００２８】
そして、透明扉２を施錠しない場合、フック２２は図５において垂直方向に起立され、ハンドル３内に格納されている。透明扉２を閉じて施錠する場合には、ハンドル３から見て透明扉２の枢支側の透明扉２外側（前側）から鍵孔１９に鍵を差し込み、図５において反時計回りに回動させる。回動軸２１はこの鍵の回動と同心的に回動するので、フック２２は図５において反時計回り回動し、先端の鉤部２２Ａは透孔２３を通過して支柱８のアングル８Ａの係合孔２４に上から係脱自在に係合する。この場合、係合孔２４はガスケットＧの外側にあるので、図７のように係合孔２４は本体１１と透明扉２との隙間（ガスケットＧの寸法分の隙間）から見え、フック２２と係合孔２４との係合状態も外部から確認することができる。
【００２９】
解錠する場合には鍵を逆に回動させる。これにより、フック２２は図５において時計回りに回動するので、係合孔２４から離脱して再びハンドル３内に格納されることになる。このように、施錠装置１７をハンドル３内に設けてその鍵孔１９を、透明扉２の枢支側のハンドル３側面に配置し、鍵孔１９に鍵を差し込んで回動軸２１を回動させる動作により、フック２２は本体１１の開口端面に係合可能としたので、前述した如く透明扉２を本体１１の略全幅まで拡張し、フック２２を本体１１の開口端面に係合させることができるようになる。従って、実施例のようにサッシュ１４と透明壁６を備えた透明扉２の場合には、特に透明壁６からの陳列室４内の視認性を大幅に改善することができるようになる。
【００３０】
また、透明扉２の枢支側から鍵孔１９に鍵を差し込むことになるので、透明扉２の非枢支側の本体１１側面（前面から見て左側面）が設置場所の壁面に密着して設置された場合にも、支障なく施錠装置１７の施錠／解錠を行うことができる。
【実施例２】
【００３１】
ここで、透明扉２を上下反転して取り付ける場合、即ち、実施例のように向かって右側を枢支するのでは無く、左側を回動自在に枢支するかたちで本体１１に取り付ける場合には、施錠装置１７も上下が反転することになる。従って、その場合にはフック２２の鉤部２２Ａは上向きとなり、係合孔２４（本体１１の開口に向かって右側）には下から係合するかたちとなる。
【００３２】
一方、この種施錠装置１７の回動軸２１には遊びが設けられており、回動軸２１及びフック２２は所定角度自由に回動してしまう。図５の場合のようにフック２２が上から係合孔２４に係合する場合には、この遊びはフック２２の自重で回動軸２１を図５の反時計回りに回動、即ち、フック２２を係合孔２４に係合させる方向に回動するように機能するが、透明扉２を上下反転した場合には、回動軸２１の遊びによりフック２２は自重で係合孔２４から離脱する方向、即ち、鉤部２２Ａを係合孔２４から下方に引き下ろして両者の係合を解除する方向に回動しようとする。これにより、透明扉２を上下反転して取り付けた場合には、フック２２と係合孔２４との係合が不良となる。
【００３３】
図８、図９はこのような不都合を解消するための実施例のフック２２を示している。この場合、フック２２の嵌合孔２６は角穴とし、且つ、所定角度（前述した回動軸２１の回動遊びによって回動する角度に相当）ずれた二種類の嵌合孔２６Ａ、２６Ｂを合わせたかたちで構成する。また、回動軸２１の他端部も断面角形とし、フック２２の何れかの嵌合孔２６Ａ、２６Ｂが選択的に嵌合できるようにする。
【００３４】
実施例の場合、嵌合孔２６Ａはその鉤部２２Ａ方向に延在する辺が、フック２２の長手方向の軸と平行となるように形成されており、嵌合孔２６Ｂは前記嵌合孔２６Ａと中心同一の状態で、鉤部２２Ａの先端から基部に向かう方向に所定角度回った状態（ずれた状態）となるように形成されている。
【００３５】
そして、図５の場合のように透明扉２の向かって右側を枢支し、フック２２の鉤部２２Ａが下向きとなる取付状態の場合には、嵌合孔２６Ａを回動軸２１に嵌合する。この場合、施錠装置１７の回動軸２１の回動遊びは、図５のように鉤部２２が係合孔２４に係合してフック２２が略水平となった状態で、更に図５中反時計回りに所定角度フック２２を回動させるように作用するものとすると、フック２２と係合孔２４との係合状態は安定的に維持される。
【００３６】
次に、このような施錠装置１７が取り付けられた透明扉２を上下反転して本体１１に取り付ける場合には、フック２２の嵌合孔２６Ｂを回動軸２１に嵌合して取り付ける。このように嵌合孔２６Ｂを嵌合した場合、フック２２の取付角度は嵌合孔２６Ａを嵌合した場合に比べてフック２２の鉤部２２Ａが所定角度その先端方向に移動したかたちで回動軸２１に取り付けられた状態に変更される。そのため、前述したようにこの反転取付時の回動軸２１の回動遊びにより、フック２２の鉤部２２Ａが係合孔２４から引き下ろされた状態で、遊びは吸収され、フック２２は略水平となる。これにより、上下反転した取付状態においても、回動軸２１の回動遊びによってフック２２と係合孔２４との係合状態が甘くなり、係合不良となって外れてしまう不都合が解消されることになる。
【００３７】
尚、実施例では陳列室４の周囲四面を透明壁６にて囲繞し、更に前後が透明扉２、２によって開閉自在とされた低温ショーケースに本発明を適用したが、それに限らず、前面のみが透明扉２によって開閉自在とされたショーケースにも本発明は有効である。
【図面の簡単な説明】
【００３８】
【図１】本発明を適用したショーケースの実施例としての低温ショーケースの斜視図である。
【図２】図１の低温ショーケースの透明扉を開いた状態の斜視図である。
【図３】図２の拡大図である。
【図４】図１の低温ショーケースの透明扉のハンドル部分の平断面図である。
【図５】図１の低温ショーケースの透明扉のハンドル部分の縦断側面図である。
【図６】図１の低温ショーケースの透明扉のハンドルを透明扉枢支側から見た拡大斜視図である。
【図７】図１の低温ショーケースの透明扉のハンドルを透明扉非枢支側から見た拡大斜視図である。
【図８】図１の低温ショーケースの他の実施例の施錠装置のフックの正面図である。
【図９】図８の施錠装置のフックの斜視図である。
【符号の説明】
【００３９】
１  低温ショーケース
２  扉
３  ハンドル
４  陳列室
６  透明壁
８  支柱
８Ａ  アングル
１１  本体
１４  サッシュ
１７  施錠装置
１９  鍵孔
２１  回動軸
２２  フック
２２Ａ  鉤部
２４  係合孔
２６、２６Ａ、２６Ｂ  嵌合孔
【図１】
2008022986.tif 000003
【図２】
2008022986.tif 000004
【図３】
2008022986.tif 000005
【図４】
2008022986.tif 000006
【図５】
2008022986.tif 000007
【図６】
2008022986.tif 000008
【図７】
2008022986.tif 000009
【図８】
2008022986.tif 000010
【図９】
2008022986.tif 000011